(57)【要約】  小型で簡素な構造で操作性が良く、スライダー及びエレメントを簡単に挿入することができ、開製品のスライドファスナーに使用することが可能なスライダー移動装置及びそれを用いたスライドファスナーを提供する。  スライダー移動装置（１）は、スライダー（１５０）に装着可能な基部（２）と、基部（２）に設置される駆動部（５）と、エレメント列（１３０Ｒ）に噛み合い、駆動部（５）によって駆動されるギヤ（６）と、を備えており、基部（２）には、蝶棒（１４３）を箱棒（１４１）に挿入または抜去することができるように、蝶棒（１４３）とエレメント列（１３０Ｌ）を通過させるための空間が設けられていることを特徴とする。
2019069376.tif 000002
【特許請求の範囲】
【請求項１】
一対のファスナーテープ（１２０Ｌ，１２０Ｒ）及び前記一対のファスナーテープ（１２０Ｌ，１２０Ｒ）のそれぞれに固定された複数のエレメント（１３１Ｌ，１３１Ｒ）からなる一対のエレメント列（１３０Ｌ，１３０Ｒ）が対向するように配置された一対のファスナーストリンガー（１１０Ｌ，１１０Ｒ）を有するファスナーチェーン（１１０）と、前記一対のエレメント列（１３０Ｌ，１３０Ｒ）に沿って摺動することで噛合及び分離させるスライダー（１５０）と、前記一対のファスナーストリンガー（１１０Ｌ，１１０Ｒ）の一方に設けられる蝶棒（１４３）と、他方に設けられる箱棒（１４１）とを備えるスライドファスナー（１００）に用いられるスライダー移動装置（１）であって、  当該スライダー移動装置（１）は、  前記スライダー（１５０）に装着可能な基部（２）と、  前記基部（２）に設置される駆動部（５）と、  前記エレメント列（１３０Ｌ，１３０Ｒ）に噛み合い、前記駆動部（５）によって駆動されるギヤ（６）と、を備えており、  前記基部（２）には、前記蝶棒（１４３）を前記箱棒（１４１）に挿入または抜去することができるように、前記蝶棒（１４３）とエレメント列（１３０Ｌ）を通過させるための空間が設けられていることを特徴とするスライダー移動装置（１）。
【請求項２】
一対のファスナーテープ（１２０Ｌ，１２０Ｒ）及び前記一対のファスナーテープ（１２０Ｌ，１２０Ｒ）のそれぞれに固定された複数のエレメント（１３１Ｌ，１３１Ｒ）からなる一対のエレメント列（１３０Ｌ，１３０Ｒ）が対向するように配置された一対のファスナーストリンガー（１１０Ｌ，１１０Ｒ）を有するファスナーチェーン（１１０）と、前記一対のエレメント列（１３０Ｌ，１３０Ｒ）に沿って摺動することで噛合及び分離させるスライダー（１５０）と、前記一対のファスナーストリンガー（１１０Ｌ，１１０Ｒ）の一方に設けられる蝶棒（１４３）と、他方に設けられる箱棒（１４１）とを備えるスライドファスナー（１００）に用いられるスライダー移動装置（１）であって、  当該スライダー移動装置（１）は、  前記スライダー（１５０）に装着可能な基部（２）と、  前記基部（２）に設置される駆動部（５）と、  前記エレメント列（１３０Ｌ，１３０Ｒ）に噛み合い、前記駆動部（５）によって駆動されるギヤ（６）と、を備えており、  前記ギヤ（６）は、前記一対のエレメント列（１３０Ｌ，１３０Ｒ）のうちの一方のエレメント列（１３０Ｒ）とのみ噛合っていることを特徴とするスライダー移動装置（１）。
【請求項３】
前記基部（２）は、前記スライダー（１５０）を装着する溝が形成されたスライダー装着部（２３ａ）を有することを特徴とする請求項１又は２に記載のスライダー移動装置（１）。
【請求項４】
前記基部（２）との間に一方の前記エレメント列（１３０Ｒ）の一部が挿入される隙間を形成可能な第１カバー（３）を有することを特徴とする請求項１乃至３のいずれか１つに記載のスライダー移動装置（１）。
【請求項５】
前記基部（２）と前記スライダー（１５０）との装着状態を保持する第２カバー（７）を有することを特徴とする請求項４に記載のスライダー移動装置（１）。
【請求項６】
前記スライダー（１５０）は、前記一対のエレメント列（１３０Ｌ，１３０Ｒ）を噛合及び分離させる本体（１５０ａ）と、前記本体（１５０ａ）を引っ張る引手（１５０ｅ）と、前記引手（１５０ｅ）を前記本体（１５０ａ）に取り付ける引手取付部（１５０ｄ）と、を有する構造であって、  前記第２カバー（７）は、前記スライダー（１５０）が前記スライダー装着部（２３ａ）に装着された状態で前記引手（１５０ｅ）と前記引手取付部（１５０ｄ）の間に挿入可能な保持部（７ａ）を有することを特徴とする請求項５に記載のスライダー移動装置（１）。
【請求項７】
前記スライダー（１５０）が前記保持部（７３）に保持された状態から前記引手（１５０ｅ）を引っ張ると前記保持部（７３）が前記引手（１５０ｅ）と前記引手取付部（１５０ｄ）の間から抜け、前記スライダー（１５０）が前記スライダー保持部（２３ａ）から外れることを特徴とする請求項６に記載のスライダー移動装置（１）。
【請求項８】
請求項１乃至７のいずれか１つに記載のスライダー移動装置（１）と、  前記ファスナーチェーン（１１０）と、  前記スライダー（１５０）と、を備えることを特徴とするスライドファスナー（１００）。
【発明の詳細な説明】
【技術分野】
【０００１】  本発明は、スライダーを移動させるスライダー移動装置及びそれを用いたスライドファスナーに関する。
【背景技術】
【０００２】  従来、スライダーを電動で移動させる電動スライダーが開示されている（特許文献１参照）。特許文献１に記載の電動スライダーは、エレメントと噛み合うギヤをモータで駆動し推進力を得るものである。
【先行技術文献】
【特許文献】
【０００３】
【特許文献１】米国第２０１５／００８２５８２号公開公報
【発明の概要】
【発明が解決しようとする課題】
【０００４】  しかしながら、上記特許文献１に記載のスライダーは、ギヤが蝶棒側のエレメントと箱棒側のエレメントの両方に噛み合うので、開具の挿し抜きができず、開製品に用いることが不可能であった。【０００５】  本発明は、上述した事情に鑑みてなされたものであり、その目的は、小型で簡素な構造で操作性が良く、スライダー及びエレメントを簡単に挿入することができ、開製品のスライドファスナーに使用することが可能なスライダー移動装置及びそれを用いたスライドファスナーを提供することにある。
【課題を解決するための手段】
【０００６】  本発明の一実施形態にかかるスライダー移動装置は、  一対のファスナーテープ及び前記一対のファスナーテープのそれぞれに固定された複数のエレメントからなる一対のエレメント列が対向するように配置された一対のファスナーストリンガーを有するファスナーチェーンと、前記一対のエレメント列に沿って摺動することで噛合及び分離させるスライダーと、前記一対のファスナーストリンガーの一方に設けられる蝶棒と、他方に設けられる箱棒とを備えるスライドファスナーに用いられるスライダー移動装置であって、  当該スライダー移動装置は、  前記スライダーに装着可能な基部と、  前記基部に設置される駆動部と、  前記エレメント列に噛み合い、前記駆動部によって駆動されるギヤと、を備えており、  前記基部には、前記蝶棒を前記箱棒に挿入または抜去することができるように、前記蝶棒とエレメント列を通過させるための空間が設けられていることを特徴とする。【０００７】  一対のファスナーテープ及び前記一対のファスナーテープのそれぞれに固定された複数のエレメントからなる一対のエレメント列が対向するように配置された一対のファスナーストリンガーを有するファスナーチェーンと、前記一対のエレメント列に沿って摺動することで噛合及び分離させるスライダーと、前記一対のファスナーストリンガーの一方に設けられる蝶棒と、他方に設けられる箱棒とを備えるスライドファスナーに用いられるスライダー移動装置であって、  当該スライダー移動装置は、  前記スライダーに装着可能な基部と、  前記エレメント列に噛み合い、前記駆動部によって駆動されるギヤと、を備えており、  前記ギヤは、前記一対のエレメント列のうちの一方のエレメント列とのみ噛合っていることを特徴とする。【０００８】  また、本発明の一実施形態にかかるスライダー移動装置は、  前記基部は、前記スライダーを装着する溝が形成されたスライダー装着部を有することを特徴とする。【０００９】  また、本発明の一実施形態にかかるスライダー移動装置は、  前記基部との間に一方の前記エレメント列の一部が挿入される隙間を形成可能な第１カバーを有することを特徴とする。【００１０】  また、本発明の一実施形態にかかるスライダー移動装置は、  前記基部と前記スライダーとの装着状態を保持する第２カバーを有することを特徴とする。【００１１】  また、本発明の一実施形態にかかるスライダー移動装置は、  前記スライダーは、前記一対のエレメント列を噛合及び分離させる本体と、前記本体を引っ張る引手と、前記引手を前記本体に取り付ける引手取付部と、を有する構造であって、  前記第２カバーは、前記スライダーが前記スライダー装着部に装着された状態で前記引手と前記引手取付部の間に挿入可能な保持部を有することを特徴とする。【００１２】  また、本発明の一実施形態にかかるスライダー移動装置は、  前記スライダーが前記保持部に保持された状態から前記引手を引っ張ると前記保持部が前記引手と前記引手取付部の間から抜け、前記スライダーが前記スライダー保持部から外れることを特徴とする。【００１３】  また、本発明の一実施形態にかかるスライドファスナーは、  前記スライダー移動装置と、  前記ファスナーチェーンと、  前記スライダーと、を備えることを特徴とする。
【発明の効果】
【００１４】  本発明の一実施形態にかかるスライダー移動装置によれば、小型で簡素な構造で操作性が良く、スライダー及びエレメントを簡単に挿入することができ、開製品のスライドファスナーに使用することが可能となる。
【図面の簡単な説明】
【００１５】
【図１】本実施形態にかかるスライドファスナーを示す。
【図２】第１実施形態にかかるスライダー移動装置を示す。
【図３】第１実施形態にかかるスライダー移動装置の組立方法を示す。
【図４】第１実施形態にかかるスライダー移動装置の透視図を示す。
【図５】第１実施形態にかかるスライダー移動装置の右側ファスナーストリンガーへの装着の第１段階を示す。
【図６】第１実施形態にかかるスライダー移動装置の右側ファスナーストリンガーへの装着の第２段階及び第３段階を示す。
【図７】第１実施形態にかかるスライダー移動装置とスライダーとの取付方法を示す。
【図８】スライダー移動装置をスライダーに取付後の状態を示す。
【図９】第１実施形態にかかるスライドファスナーの左側ファスナーストリンガーの装着方法を示す。
【図１０】第１実施形態にかかるスライダー移動装置の作動を示す。
【図１１】第２実施形態にかかるスライダー移動装置の第１カバーを示す。
【図１２】第２実施形態にかかるスライダー移動装置を右側ファスナーストリンガーに装着する状態を示す。
【図１３】第３実施形態にかかるスライダー移動装置の右側ファスナーストリンガーへの装着時のスライダー移動装置の第１カバーの状態を示す。
【図１４】第３実施形態にかかるスライダー移動装置の右側ファスナーストリンガーへの装着している状態を示す。
【図１５】第３実施形態にかかるスライダー移動装置の右側ファスナーストリンガーへの装着後のスライダー移動装置の第１カバーの状態を示す。
【図１６】第４実施形態にかかるスライダー移動装置とスライダーとの取付方法を示す。
【図１７】スライダー移動装置１をスライダーに取付後の状態を示す。
【図１８】第４実施形態にかかるスライダー移動装置とスライダーとの離間方法を示す。
【図１９】図１８の一部を拡大した図を示す。
【発明を実施するための形態】
【００１６】  以下、図面に基づき本発明にかかる実施形態のスライダー移動装置１及びスライドファスナー１００を具体的に説明する。
【００１７】  図１は、本実施形態にかかるスライドファスナー１００を示す。
【００１８】  本実施形態のスライドファスナー１００において、ファスナーテープ１２０の長さ方向を前後方向（Ｆ−Ｂ方向）とし、矢印Ｆ（前方向Ｆ），Ｂ（後方向Ｂ）で示す。また、ファスナーテープ１２０の幅方向を左右方向（Ｌ−Ｒ方向）とし、矢印Ｌ（左方向Ｌ），Ｒ（右方向Ｒ）で示す。さらに、ファスナーテープ１２０の表裏方向を上下方向（Ｕ−Ｄ方向）とし、矢印Ｕ（上方向Ｕ），Ｄ（下方向Ｄ）で示す。また、スライダー移動装置１単体の方向については、スライダー移動装置１がスライドファスナー１００に取り付けられた際のスライドファスナー１００の方向に準ずるものとする。なお、ファスナーテープ１２０の左右方向は幅方向とも言う。また、ファスナーテープ１２０の前後方向は長さ方向とも言う。
【００１９】  本実施形態のスライドファスナー１００は、図１に示すように、一対のエレメント列１３０Ｌ，１３０Ｒを有する一対のファスナーストリンガー１１０Ｌ，１１０Ｒを各エレメント列１３０Ｌ，１３０Ｒが対向するように配置したファスナーチェーン１１０と、エレメント列１３０Ｌ，１３０Ｒに沿って摺動可能に取り付けられ、エレメント１３１Ｌ，１３１Ｒを噛合及び分離させるスライダー１５０と、スライダー１５０を移動させるスライダー移動装置１と、を備える。
【００２０】  一対のエレメント列１３０Ｌ，１３０Ｒは、一対のファスナーテープ１２０Ｌ，１２０Ｒのそれぞれのテープ縁部１２１Ｌ，１２１Ｒに所定のピッチ毎に固定された複数のエレメント１３１Ｌ，１３１Ｒからなる。
【００２１】  ファスナーストリンガー１１０Ｌ，１１０Ｒは、左右一対のファスナーテープ１２０Ｌ，１２０Ｒのテープ縁部１２１Ｌ，１２１Ｒの後方向Ｂの端部に形成される開き部１４０と、左右一対のファスナーテープ１２０Ｌ，１２０Ｒのテープ縁部１２１Ｌ，１２１Ｒの前方向Ｆの端部に形成される図示しない上止め部と、を備える。
【００２２】  開き部１４０は、右方向Ｒ側のファスナーテープ１２０Ｒのテープ縁部１２１Ｒの後方向Ｂの端部に形成される箱棒１４１及び箱体１４２と、左方向Ｌ側のファスナーテープ１２０Ｌのテープ縁部１２１Ｌの後方向Ｂの端部に形成され、箱体１４２に挿入可能な蝶棒１４３と、を備える。なお、箱棒１４１と箱体１４２は一体に形成されてもよい。
【００２３】  また、本実施形態では、蝶棒１４３が設けられる左側ファスナーストリンガー１１０Ｌがスライダー１５０から分離可能な分離側ファスナーストリンガーであり、箱棒１４１及び箱体１４２が設けられる右側ファスナーストリンガー１１０Ｒがスライダー１５０から分離不能な固定側ファスナーストリンガーである。なお、箱棒１４１及び箱体１４２と蝶棒１４３の左右は、反対に配置されてもよい。また、スライダー１５０は、取付等の際にエレメント１３１Ｒの間から挿抜可能であってもよい。
【００２４】  図２は、第１実施形態にかかるスライダー移動装置１を示す。図３は、第１実施形態にかかるスライダー移動装置１の組立方法を示す。図４は、第１実施形態にかかるスライダー移動装置１の透視図を示す。
【００２５】  スライダー移動装置１は、スライダー１５０に装着可能な基部２と、基部２との間に一方のエレメント列１３０Ｒの一部が挿入される隙間を形成可能な下方向Ｄを覆う第１カバー３と、第１カバー３の開閉可能に移動させる開閉レバー４と、基部２に設置されスライダー移動装置１を移動させる駆動部５と、隙間から挿入された右側エレメント列１３０Ｒに噛み合い駆動部５によって回転駆動されるギヤ６と、基部２とスライダー１５０との装着状態を保持し基部２の上方向Ｕを覆う第２カバー７と、を備える。
【００２６】  基部２は、第１板部２１と、第１板部２１に隣接する第２板部２２と、第１板部２１及び第２板部２２から後方向Ｂに突出する第３板部２３と、第１板部２１及び第２板部２２から前方向Ｆに突出する第２カバー取付部２４と、を有する。第１板部２１、第２板部２２及び第３板部２３は、それぞれ下方向Ｄを向く第１面２１１と上方向Ｕを向く第２面２１２を有する。
【００２７】  第１板部２１の第１面２１１の左右方向（Ｌ−Ｒ）及び後方向Ｂの三方に、第１壁部２１ａが形成される。第１板部２１と第１壁部２１ａとで、駆動部５とギヤ６を収納する駆動系収納部が形成される。第３板部２３との境界に形成された第１壁部２１ａの左方向Ｌ寄りには、右側エレメント１３１Ｒが通過する切欠が形成され、エレメント通過部２１ｂを構成する。この実施形態では、ギヤ６は一方のファスナーストリンガー１１０Ｒとのみ上下方向でオーバーラップする位置に配置されている。このような配置により、ギヤ６は一方のファスナーストリンガー１１０Ｒのエレメント列とのみ噛合うように構成されている。なお、この実施形態では、駆動部５も一方のファスナーストリンガー１１０Ｒとのみ上下方向でオーバーラップする位置に配置されている。
【００２８】  第２板部２２の左方向Ｌには、第１カバー３を回転可能に支持する第１カバー支持部２２ａが形成される。第２板部２２の第２面２２２の周囲には、第２壁部２２ｂが形成される。第２板部２２と第２壁部２２ｂによって図示しない電池等の電源や無線通信部等を収納する電源収納部が形成される。第２板部２２には、第１面２２１から第２面２２２を貫通し、開閉レバー４が移動可能に取り付けられる長孔が形成され、レバー移動部２２ｃを構成する。
【００２９】  基部２の第１板部２１の下方向Ｄ側は、右側エレメント１３１Ｒを内部に通過させる。そして、基部２の第２板部２２の下方向Ｄ側は、左側エレメント１３１Ｌを外部で通過させる。したがって、−第１壁部２１ａは、第１カバー支持部２２ａよりも下方向Ｄの高さが高い。そして、第１壁部２１ａと第１カバー支持部２２ａの高さの差が存在する部分には、少なくとも図１に示した左方向Ｌ側の蝶棒１４３及びエレメント１３１Ｌが通過することが可能な空間が形成される。駆動部５とギヤ６を一方のファスナーストリンガー１１０Ｒとのみ上下方向でオーバーラップする位置に配置することで、他方のファスナーストリンガー１１０Ｌと上下方向でオーバーラップする位置には駆動部５とギヤ６を設けていない。これにより、他方のファスナーストリンガー１１０Ｌと上下方向でオーバーラップする位置を蝶棒１４３及びエレメント１３１Ｌが通過することが可能な空間としている。
【００３０】  第３板部２３は、第１板部２１と第２板部２２の後方向Ｂに隣接して平行に形成される。第３板部２３は、第１板部２１と第２板部２２から離れるにつれて左右方向（Ｌ−Ｒ）の幅が狭まる略三角形状に形成される。第３板部２３には、後方向Ｂから前方向Ｆに向けて溝が形成され、スライダー装着部２３ａを構成する。スライダー装着部２３ａの下方向Ｄには、左右方向（Ｌ−Ｒ）の幅が狭い小幅部２３ｂが形成される。
【００３１】  突出部２４は、第２板部２２から前方向Ｆに突出する。第１実施形態の突出部２４は、第１板部２１と第２板部２２の間から突出する第１突出部２４１と、第２板部２２の左方向Ｌの端部から突出する第２突出部２４２と、を有する。第１突出部２４１及び第２突出部２４２には、第２カバー７を回転可能に取り付けるための孔が形成され、それぞれ第１第２カバー取付部２４１ａ及び第２第２カバー取付部２４２ａを構成する。また、第１突出部２４１には、第１カバー３を回転しないように保持するための孔が形成され、第１カバー保持部２４１ｂを構成する。
【００３２】  第１カバー３は、第１板部２１の第１面２１１側を覆う第１カバー部３１と、第２板部２２の第１面２２１側を覆う第２カバー部３２と、第１カバー部３１と第２カバー部３２とを連結する連結部３３と、第１カバー３を基部２の突出部２４に形成された第１カバー保持部２４１ｂに挿入される挿入部３４と、を有する。
【００３３】  第１カバー部３１は、表面に形成される平面部３１ａと、平面部３１ａの周囲で基部２側へ延びるフランジ３１ｂと、を有する。平面部３１ａは、スライダー１５０の開口１５０ａよりも下方向Ｄに位置する。なお、開口１５０ａとはスライダー１５０のエレメント１３１が通過する空間を区画する部分をいう。平面部３１ａの前後方向（Ｆ−Ｂ）側に形成されたフランジ３１ｂには、図１に示した右方向Ｒ側のエレメント１３１Ｒが通過する切欠が形成され、エレメント通過部３１ｃを構成する。
【００３４】  第２カバー部３２は、表面に形成される平面部３２ａと、第１カバー部３１とは反対側に、基部２の第２板部２２に形成される第１カバー支持部２２ａに支持される支点部３２ｂと、を有する。平面部３２ａは、蝶棒１４３が挿入されるスライダー１５０の開口１５０ａよりも上方向Ｕに位置する。平面部３２ａの左方向Ｌ側には、開閉レバー４に接触した状態で第１カバー３を開閉可能とする段差が形成される。段差は、開閉レバー４に接触した状態で、第１カバー３を開放可能とする開放部３２ｃと、第１カバー３を閉鎖する閉鎖部３２ｄと、を構成する。段差は、開放部３２ｃが閉鎖部３２ｄよりも深い位置に形成され、開放部３２ｃと閉鎖部３２ｄの間は斜面で連結される。
【００３５】  連結部３３は、第１カバー部３１と第２カバー部３２とを連結する。連結部３３は、第１壁部２１ａと第１カバー支持部２２ａの高さの差がある部分をカバーする。そのため、第１カバー部３１の平面部３１ａと第２カバー部３２の平面部３２ａは、連結部３３が形成される分だけ異なる面にそれぞれ形成される。その結果、第１カバー３は、第２カバー部３２ａと連結部３３で区画され、第２カバー部３２ａの下方向Ｄに、少なくとも図１に示した左方向Ｌ側の蝶棒１４３及びエレメント１３１Ｌが通過することが可能な空間を有する。
【００３６】  連結部３３のスライダー１５０側には、凹状の導入部３３ａが形成されている。導入部３３ａは、スライダー１５０の蝶棒１４３が挿入される側の開口部１５１が大きく開放するように形成される。
【００３７】  挿入部３４は、第１カバー部３１と第２カバー部３２の間から、まず上方向Ｕへ延び、その後右方向Ｒへ延びる。挿入部３４は、第１カバー３の移動に伴い、第１突出部２４１に形成された第１カバー保持部２４１ｂに抜挿可能に形成される。
【００３８】  開閉レバー４は、第２板部２２に形成された長孔で構成されるレバー移動部２２ｃに差し込まれる差込部４１と、差込部４１を移動させる際に指等によって操作する操作部４２と、を有する。
【００３９】  駆動部５は、ギヤ６を回転駆動させる。ギヤ６は、図１に示した右方向Ｒ側のエレメント１３１Ｒの上方向Ｕ側で噛み合う。ギヤ６の歯の間隔は、右側エレメント１３１Ｒの前後方向（Ｆ−Ｂ）の長さにほぼ等しく形成されている。駆動部５とギヤ６は、第１板部２１と第１壁部２１ａとで囲まれる駆動系収納部に収納される。本実施形態の駆動部５とギヤ６は、それぞれモータとウォームギヤから構成される。ウォームギヤの場合、歯の間隔は、軸方向の歯の間隔である。
【００４０】  第２カバー７は、基部２の上方向Ｕを覆う平面状のカバー本体７１と、カバー本体７１の前方向Ｆ側の端部から下方向Ｄに延びて形成される回転支持部７２と、カバー本体７１の後方向Ｂ側の端部から下方向Ｄに延びるスライダー保持部７３と、第２カバー７の回転時に回転軸となる軸部材７４と、を備える。
【００４１】  カバー本体７１の左方向Ｌの端部には開閉レバー４が貫通する孔が形成され、開閉レバー貫通部７１ａを構成する。回転支持部７２は第２カバー７の回転時に回転軸となる軸部材７４を有する。軸部材７４は、第１突出部２４１及び第２突出部２４２に形成された孔から構成される第１第２カバー取付部２４１ａ及び第２第２カバー取付部２４２ａに挿入される。
【００４２】  スライダー１５０は、第３板部２３に形成されたスライダー装着部２３ａに取り付けられる。スライダー１５０の本体１５０ａの外形は、一般的に用いられているスライダーと同様の構成でよいが、この実施例では突起１５０ｂを特別に設けている。第１実施形態のスライダー移動装置１は、スライダー装着部２３ａを構成する切欠に突起１５０ｂを挿入することで、スライダー１５０に取り付けられる。
【００４３】  次に、スライダー移動装置１を右側ファスナーストリンガー１１０Ｒへ装着する方法について説明する。
【００４４】  図５は、第１実施形態にかかるスライダー移動装置１の右側ファスナーストリンガー１１０Ｒへの装着の第１段階を示す。図５（ａ）は、第１実施形態にかかるスライダー移動装置１の右側ファスナーストリンガー１１０Ｒへの装着の第１段階の斜視図を示す。図５（ｂ）は、第１実施形態にかかるスライダー移動装置１の右側ファスナーストリンガー１１０Ｒへの装着の第１段階を前方向Ｆから後方向Ｂを見た図を示す。
【００４５】  図６は、第１実施形態にかかるスライダー移動装置１の右側ファスナーストリンガー１１０Ｒへの装着の第２段階及び第３段階を示す。図６（ａ）は、第１実施形態にかかるスライダー移動装置１の右側ファスナーストリンガー１１０Ｒへの装着の第２段階の斜視図を示す。図６（ｂ）は、第１実施形態にかかるスライダー移動装置１の右側ファスナーストリンガー１１０Ｒへの装着の第３段階の斜視図を示す。
【００４６】  まず、装着者が矢印（１）の方向に開閉レバー４を移動させる。装着者が操作部４２を前方向Ｆと同じ矢印（１）の方向に押圧すると、差込部４１が閉鎖部３２ｄから開放部３２ｃ側に移動する。その結果、差込部４１と開放部３２ｃとの間に空間が生じ、第１カバー３が左方向（Ｌ）に移動可能となる。
【００４７】  続いて、装着者が第１カバー３を左方向Ｌとほぼ同じ矢印（２）の方向に移動させる。第１カバー３が矢印（２）の方向に移動されると、開放部３２ｃが差込部４１に接触するまで移動する。すると、第１カバー３の挿入部３４が第１突出部２４１に形成された第１カバー保持部２４１ｂから抜ける。
【００４８】  次に、装着者が第１カバー３の第１カバー部３１の右方向Ｒ側を矢印（３）の方向に引っ張る。第１カバー３が矢印（３）の方向に引っ張られると、第１カバー３が図３（ａ）に示した第１カバー支持部２２ａに支持される支点部３２ｂを中心に回転する。そして、基部２と第１カバー部３１の右方向Ｒ側に隙間ａが生じる。
【００４９】  続いて、装着者が基部２と第１カバー部３１の隙間ａから、右側ファスナーストリンガー１１０Ｒの右側ファスナーエレメント列１３０Ｒを挿入する。装着者は、挿入した右側ファスナーエレメント列１３０Ｒの隣り合う右側ファスナーエレメント１３１Ｒの隙間ｂにギヤ６の歯を噛み合わせる。
【００５０】  次に、図６（ａ）に示すように、第１カバー３の第１カバー部３１の右方向Ｒ側を矢印（４）の方向に押す。装着者が第１カバー３を矢印（４）の方向に押すと、第１カバー３が図３（ａ）に示した第１カバー支持部２２ａに支持される支点部３２ｂを中心に回転し、第１カバー部３１の右方向Ｒ側の隙間が無くなる又は小さくなる。
【００５１】  続いて、装着者が第１カバー３を右方向Ｒとほぼ同じ矢印（５）の方向に移動させる。第１カバー３が矢印（５）の方向に移動されると、開放部３２ｃが差込部４１から離間する。すると、図５（ａ）に示した第１カバー３の挿入部３４が第１突出部２４１に形成された第１カバー保持部２４１ｂに挿入される。
【００５２】  次に、図６（ｂ）に示すように、装着者が矢印（６）の方向に開閉レバー４を移動させる。装着者が操作部４２を後方向Ｂとほぼ同じ矢印（６）の方向に押圧すると、差込部４１が開放部３２ｃから閉鎖部３２ｄ側に移動する。その結果、差込部４１が閉鎖部３２ｄに接触し、第１カバー３の左右方向（Ｌ−Ｒ）の移動がロックされる。
【００５３】  次に、第１実施形態にかかるスライダー移動装置１をスライダー１５０に取り付ける取付方法を説明する。
【００５４】  図７は、第１実施形態にかかるスライダー移動装置１とスライダー１５０との取付方法を示す。図７（ａ）は、スライダー移動装置１をスライダー１５０に取り付ける前の状態を示す。図７（ｂ）は、スライダー移動装置１をスライダー１５０に取付中の状態を示す。図８は、スライダー移動装置１をスライダー１５０に取付後の状態を示す。
【００５５】  スライダー移動装置１をスライダー１５０に取り付けるには、まず、第２カバー７のカバー本体７１を開ける。第１実施形態のスライダー１５０は、引手を取り付けず、本体１５０ａに突起１５０ｂが設けられている。突起１５０ｂは、根元に小径部１５０ｃが形成される。
【００５６】  次に、図７（ｂ）に示すように、スライダー１５０の突起１５０ｂをスライダー移動装置１の第３板部２３に形成されたスライダー装着部２３ａに挿入する。挿入の際には、スライダー装着部２３ａの小幅部２３ｂが突起１５０ｂの小径部１５０ｃを挟むようにする。したがって、スライダー１５０がスライダー移動装置１の下方向Ｄから抜けない構造とすることができる。
【００５７】  次に、図８に示すように、第２カバー７のカバー本体７１を閉める。カバー本体７１を閉めると、図７（ｂ）に示したスライダー１５０の突起１５０ｂの後方向Ｂに、スライダー保持部７３が位置する。したがって、スライダー１５０がスライダー移動装置１の後方向Ｂから抜けない構造とすることができる。
【００５８】  次に、蝶棒１４３の挿入と取り外しの方法を説明する。
【００５９】  図９は、第１実施形態にかかるスライドファスナー１００の左側ファスナーストリンガー１１０Ｌの装着方法を示す。図９（ａ）は、左側ファスナーストリンガー１１０Ｌの蝶棒１４３をスライダー１５０内に通過させている状態を示す。図９（ｂ）は、左側ファスナーストリンガー１１０Ｌの蝶棒１４３を箱体１４２内に挿入した状態を示す。
【００６０】  第１実施形態にかかるスライドファスナー１００は、一般的なスライドファスナーと同様に装着することができる。装着の際、まず、図９（ａ）に示すように、装着者は、第１壁部２１ａと第１カバー支持部２２ａの高さの差が存在する部分に対応して、第２カバー部３２ａと連結部３３とで区画され、第２カバー部３２ａの下方向Ｄに形成された空間から、左方向Ｌ側の蝶棒１４３及びエレメント１３１Ｌを通過させる。続いて、左側ファスナーストリンガー１１０Ｌの蝶棒１４３を連結部３３に形成された凹状の導入部３３ａからスライダー１５０内に通過させる。その後、図９（ａ）に示すように、装着者は、蝶棒１４３を箱体１４２に挿入する。
【００６１】  なお、導入部３３ａは形成しなくても、第２カバー部３２ａと連結部３３とで区画され、第２カバー部３２ａの下方向Ｄに形成された空間があるので、装着者は、容易に蝶棒１４３をスライダー１５０に挿入することが可能である。しかしながら、導入部３３ａを形成することで、スライダー１５０の蝶棒１４３が挿入される側の開口部１５１が大きく開放される。したがって、装着者は、さらに容易に蝶棒１４３をスライダー１５０に挿入することが可能となる。
【００６２】  図９（ｂ）に示すように、左側ファスナーストリンガー１１０Ｌの蝶棒１４３が箱体１４２内に挿入された状態では、左側エレメント列１３０Ｌは、第２カバー部３２ａの下方向Ｄに形成された空間を通過するように配置され、右側エレメント列１３０Ｒは、第１カバー３１の内側を通過するように配置される。
【００６３】  蝶棒１４３を取り外す際には、装着者は、左側ファスナーストリンガー１１０Ｌを前方向Ｆに引っ張る。すると、左側エレメント列１３０Ｌ及び蝶棒１４３がスライダー１５０から抜け、その後第２カバー部３２ａの下方向Ｄに形成された空間を通過する。したがって、装着者は、容易に蝶棒１４３を箱体１４２及びスライダー１５０から取り外すことが可能となる。
【００６４】  また、導入部３３ａを形成することで、スライダー１５０の蝶棒１４３が挿入される側の開口部１５１が大きく開放される。したがって、装着者は、さらに容易に蝶棒１４３を箱体１４２及びスライダー１５０から取り外すことが可能となる。
【００６５】  なお、装着者は、蝶棒１４３を箱体１４２に挿入し、ファスナーチェーンを形成した後、スライダー移動装置１をスライダー１５０に装着してもよい。また、スライダー１５０で一部のエレメント列１３０を噛み合わせた後、スライダー移動装置１をスライダー１５０に装着してもよい。
【００６６】  図１０は、第１実施形態にかかるスライダー移動装置１の作動を示す。図１０（ａ）は、スライダー移動装置１の作動前の状態を示す。図１０（ｂ）は、スライダー移動装置１の作動状態を示す。
【００６７】  第１実施形態にかかるスライダー移動装置１は、図５に示した駆動部５を駆動させると、ギヤ６が回転する。ギヤ６が回転すると、スライダー移動装置１は、右側ファスナーエレメント列１３０Ｒに噛み合いながら、図１０（ｂ）に示すように移動する。
【００６８】  このように、第１実施形態のスライドファスナー１００によれば、小型で簡素な構造で操作性が良く、スライダー及びエレメントを簡単に挿入することが可能となる。
【００６９】  次に、第２実施形態にかかるスライダー移動装置１について説明する。
【００７０】  図１１は、第２実施形態にかかるスライダー移動装置１の第１カバー３を示す。図１２は、第２実施形態にかかるスライダー移動装置１を右側ファスナーストリンガー１１０Ｒに装着する状態を示す。
【００７１】  第２実施形態の第１カバー３は、板バネ構造からなる。第１カバー３は、第１カバー部３１と第２カバー部３２との間を弾性力を有する連結部３３で連結する。第１カバー部３１は、第１カバー３５で覆われる。このような第２実施形態の第１カバー３を用いたスライダー移動装置１を、右側ファスナーストリンガー１１０Ｒに装着する際には、図５に示した例と同様に、装着者が第１カバー３の第１カバー部３１の右方向Ｒ側を矢印（３）の方向に引っ張る。
【００７２】  第１カバー部３１の右方向Ｒ側が矢印（３）に引っ張られると、第２カバー部３２が動かないまま、連結部３３の弾性力で第１カバー部３１が回転する。そして、基部２と第１カバー部３１の右方向Ｒ側に生じた隙間ａから、右側ファスナーストリンガー１１０Ｒの右側ファスナーエレメント列１３０Ｒを挿入すればよい。
【００７３】  このように、第２実施形態のスライダー移動装置１によれば、より簡素な構造でエレメントを簡単に挿入することが可能となる。
【００７４】  次に、第３実施形態にかかるスライダー移動装置１について説明する。
【００７５】  図１３は、第３実施形態にかかるスライダー移動装置１の右側ファスナーストリンガー１１０Ｒへの装着時のスライダー移動装置１の第１カバー３の状態を示す。図１３（ａ）は、第３実施形態にかかるスライダー移動装置１の右側ファスナーストリンガー１１０Ｒへの装着時の状態を示す。図１３（ｂ）は、図１３（ａ）のＡ部分の拡大図を示す。図１４は、第３実施形態にかかるスライダー移動装置１の右側ファスナーストリンガー１１０Ｒへの装着している状態を示す。なお、図１３及び図１４は、理解を容易にするために、スライダーを省略している。
【００７６】  まず、装着者が矢印（１１）の方向に第１カバー３を移動させる。すると、図１３（ｂ）に示すように、第１カバー３の第２カバー部３２に形成された凸部３２ｅが、基部２の第１カバー支持部２２ａに形成された凹部２２ｄから抜けられる位置に配置される。なお、第２カバー部３２と第１カバー支持部２２ａの間には凸部３２ｅが挿入可能な空間が形成される。そして、その空間を覆う第１カバー支持部２２ａの一部が第１カバー３の移動を規制する規制部を構成する。前後方向（Ｆ−Ｂ）と左右方向（Ｌ−Ｒ）で規定される平面内で、凹部２２ｄの面積は、凸部３２ｅの面積よりも大きいことが好ましい。
【００７７】  第３実施形態の凸部３２ｅは、第２カバー部３２の平面部３２ａから後方向Ｂに延びる。凹部２２ｄは、第２カバー部３２の後方向Ｂの第１カバー支持部２２ａに形成された切欠から構成される。図１３（ｂ）に示すように、上下方向（Ｕ−Ｄ）から見て、凸部３２ｅは、凹部２２ｄ内に重なるように配置される。
【００７８】  次に、図１４に示すように、装着者が第１カバー３の第１カバー部３１の右方向Ｒ側を矢印（１２）の方向に引っ張る。第１カバー３が矢印（１２）の方向に引っ張られると、第１カバー３が図３（ａ）に示した例と同様に、第１カバー支持部２２ａに支持される図示しない支点部を中心に回転する。そして、基部２と第１カバー部３１の右方向Ｒ側に隙間が生じる。なお、第３実施形態の矢印（１２）の方向が第１方向を規定し、矢印（１１）の方向が第２方向を規定する。
【００７９】  続いて、装着者が基部２と第１カバー部３１の隙間から、右側ファスナーストリンガー１１０Ｒの右側ファスナーエレメント列１３０Ｒを挿入する。装着者は、挿入した右側ファスナーエレメント列１３０Ｒの隣り合う右側ファスナーエレメント１３１Ｒの隙間にギヤ６の歯を噛み合わせる。
【００８０】  次に、図１４に示すように、第１カバー３の第１カバー部３１の右方向Ｒ側を矢印（１３）の方向に押す。装着者が第１カバー３を矢印（１３）の方向に押すと、第１カバー３が図３（ａ）に示した例と同様に、第１カバー支持部２２ａに支持される図示しない支点部を中心に回転し、第１カバー部３１の右方向Ｒ側の隙間が無くなる又は小さくなる。
【００８１】  図１５は、第３実施形態にかかるスライダー移動装置１の右側ファスナーストリンガー１１０Ｒへの装着後のスライダー移動装置１の第１カバー３の状態を示す。図１５（ａ）は、第３実施形態にかかるスライダー移動装置１の右側ファスナーストリンガー１１０Ｒへの装着後の状態を示す。図１５（ｂ）は、図１５（ａ）のＣ部分の拡大図を示す。なお、図１５は、理解を容易にするために、スライダーを省略している。
【００８２】  続いて、装着者が第１カバー３を右方向Ｒとほぼ同じ矢印（１４）の方向に移動させる。すると、図１５（ｂ）に示すように、第１カバー３の第２カバー部３２に形成された凸部３２ｅが、基部２の第１カバー支持部２２ａに形成された凹部２２ｄから抜けられない位置に配置される。図１５（ｂ）に示すように、上下方向（Ｕ−Ｄ）から見て、凸部３２ｅは、第１カバー支持部２２ａに重なるように配置される。
【００８３】  このように、第３実施形態のスライダー移動装置１によれば、スライダー移動装置１をファスナーストリンガー１１０Ｒに的確に装着することが可能となる。
【００８４】  次に、第４実施形態にかかるスライダー移動装置１について説明する。
【００８５】  図１６は、第４実施形態にかかるスライダー移動装置１とスライダー１５０との取付方法を示す。図１６（ａ）は、スライダー移動装置１をスライダー１５０に取り付ける前の斜視図を示す。図１６（ｂ）は、スライダー移動装置１をスライダー１５０に取付中の斜視図を示す。図１７は、スライダー移動装置１をスライダー１５０に取付後の状態を示す。図１７（ａ）は、スライダー移動装置１をスライダー１５０に取付後の斜視図を示す。図１７（ｂ）は、スライダー移動装置１をスライダー１５０に取付後の断面図を示す。
【００８６】  第４実施形態のスライダー移動装置１は、一般的に使用されているスライダー１５０に対して装着することができる。一般的なスライダー１５０は、エレメントを噛み合わせる本体１５０ａと、本体１５０ａに取り付けられる引手取付部１５０ｄと、引手取付部１５０ｄに取り付けられる引手１５０ｃと、を有する。引手１５０ｃを引っ張ることで、本体１５０ａが移動する。
【００８７】  図１６に示す第４実施形態の例では、スライダー移動装置１をスライダー１５０に取り付ける前に、左側ファスナーエレメント列１３０Ｌをスライダー１５０に通過させ、図示しない蝶棒を箱体１４２に挿入しておいてもよい。なお、スライダー移動装置１は、図７に示したように、右側ファスナーストリンガー１１０Ｒのみの状態で、スライダー１５０に取り付けてもよい。
【００８８】  第４実施形態の基部２の第３板部２３には溝状のスライダー装着部２３ａが形成される。スライダー装着部２３ａの後方向Ｂには、幅広部２３ｃが形成される。幅広部２３ｃには、溝状のスライダー装着部２３ａを挟んだ両側に底板部２３ｄが形成される。
【００８９】  まず、図１６（ａ）に示すように、スライダー移動装置１を右側ファスナーストリンガー１１０Ｒに取り付ける。続いて、第２カバー７のカバー本体７１を開ける。なお、図１６（ａ）では、右側ファスナーストリンガー１１０Ｒと左側ファスナーエレメント列１３０Ｌが噛み合っているように見えるが、噛み合っていなくてよい。
【００９０】  次に、スライダー移動装置１をスライダー１５０の存在する後方向Ｂに移動させる。スライダー移動装置１後方向Ｂに移動すると、図１６（ｂ）に示すように、スライダー１５０の本体１５０ａがスライダー移動装置１の第３板部２３に形成されたスライダー装着部２３ａの下方向Ｄに挿入される。また、スライダー１５０の引手取付部１５０ｄは、第３板部２３の溝状のスライダー装着部２３ａに挿入される。さらに、引手１５０ｅの一部は、幅広部２３ｃに挿入され、底板部２３ｄの上方向Ｕに設置される。
【００９１】  次に、図１７に示すように、第２カバー７のカバー本体７１を閉める。カバー本体７１を閉めると、図１７（ｂ）に示すように、カバー本体７１の後方向Ｂに形成されたスライダー保持部７３がスライダー１５０の引手取付部１５０ｄと引手１５０ｅとの間に形成された空間に挿入される。したがって、スライダー１５０がスライダー移動装置１の後方向Ｂから抜けない構造とすることができる。
【００９２】  その後、スライダー移動装置１は、図５に示した駆動部５を駆動させると、ギヤ６が回転する。ギヤ６が回転すると、スライダー移動装置１は、右側ファスナーエレメント列１３０Ｒに噛み合いながら移動する。
【００９３】  このように、第４実施形態のスライダー移動装置１によれば、小型で簡素な構造で操作性が良く、スライダー及びエレメントを簡単に挿入することができ、既存の開製品スライドファスナーに使用することが可能となる。
【００９４】  次に、第４実施形態にかかるスライダー移動装置１の緊急時の離間方法を説明する。第４実施形態のスライダー移動装置１は、スライダー１５０と一体となり、図２に示した駆動部５の駆動によって移動する。緊急時に本実施形態のスライドファスナー１００を用いた衣服等を早急に脱ぐ必要がある場合、スライダー移動装置１を素早く移動させる必要がある。しかしながら、スライダー移動装置１は、駆動部５の駆動によって移動するので、素早く移動させることができない。そこで、スライダー移動装置１をスライダー１５０から早急に離脱させ、スライダー１５０を素早く移動させることができるようにしなければならない。
【００９５】  図１８は、第４実施形態にかかるスライダー移動装置１とスライダー１５０との離間方法を示す。図１８（ａ）は、スライダー移動装置１とスライダー１５０との離間を始める状態を示す。図１８（ｂ）は、スライダー移動装置１とスライダー１５０との離間中の状態を示す。図１８（ｃ）は、スライダー移動装置１とスライダー１５０との離間後の状態を示す。
【００９６】  図１９は、図１８の一部を拡大した図を示す。図１９（ａ）は、図１８（ａ）の一部を拡大した図を示す。図１９（ｂ）は、図１８（ｂ）の一部を拡大した図を示す。
【００９７】  第４実施形態のスライダー移動装置１の第２カバー７は、基部２に保持されている。例えば、図１８（ａ）及び図１９（ａ）に示すように、第２カバー７に凸状に形成された爪部７５が、基部２に凹状に形成された保持部２５に保持されている。
【００９８】  緊急時に引手１５０ｅを引き上げると、図１８（ｂ）及び図１９（ｂ）に示すように、第２カバー７の爪部７５と、基部２の保持部２５との係合が外れる。引き続き、引手１５０ｅを引き上げると、第２カバー７が図４に示した軸部材を中心に回転し、スライダー保持部７３がスライダー１５０の引手取付部１５０ｄと引手１５０ｅとの間から外れる。
【００９９】  そのまま引手１５０ｅを後方向Ｂに引っ張ると、スライダー１５０が移動して、第２カバー７から抜け、スライダー移動装置１から離脱させることが可能となる。そして、そのままスライダー１５０を移動させれば、スライドファスナー１００は開放され、衣服等を脱ぐことが可能となる。
【０１００】  このように、第４実施形態のスライダー移動装置１によれば、緊急時に引手１５０ｅを引き上げるだけで、スライダー１５０とスライダー移動装置１とを容易に離脱させ、迅速に手動でスライダー１５０を移動させることが可能となる。
【０１０１】  以上、本実施形態のスライダー移動装置１は、スライダー１５０に装着可能な基部２と、基部２に設置される駆動部５と、駆動部５によって駆動されるギヤ６と、を備えており、基部２には、蝶棒１４３を箱棒１４１に挿入または抜去することができるように、蝶棒１４３とエレメント列１３０Ｌを通過させるための空間が設けられている。したがって、小型で簡素な構造で操作性が良く、蝶棒１４３をスライダー１５０及び箱棒１４１に、簡単に挿入及び取り外しすることができ、開製品のスライドファスナーに使用することが可能となる。
【０１０２】  また、本実施形態のスライダー移動装置１は、スライダー１５０に装着可能な基部２と、基部２に設置される駆動部５と、駆動部５によって駆動されるギヤ６と、を備えており、ギヤ６は、一対のエレメント列１３０Ｌ，１３０Ｒのうちの一方のエレメント列１３０Ｒとのみ噛合っている。したがって、小型で簡素な構造で操作性が良く、蝶棒１４３をスライダー１５０及び箱棒１４１に、簡単に挿入及び取り外しすることができ、開製品のスライドファスナーに使用することが可能となる。
【０１０３】  また、本実施形態のスライダー移動装置１では、基部２は、スライダー１５０を装着する溝が形成されたスライダー装着部２３ａを有する。したがって、スライダー移動装置１をスライダー１５０に対して容易に装着することが可能となる。
【０１０４】  また、本実施形態のスライダー移動装置１は、基部２との間に一方のエレメント列１３０Ｒの一部が挿入される隙間を形成可能な第１カバー３を有する。したがって、スライダー移動装置１に対してエレメント列１３０Ｒを簡単に挿入及び取り外しすることが可能となる。
【０１０５】  また、本実施形態のスライダー移動装置１は、基部２とスライダー１５０との装着状態を保持する第２カバー７を有する。したがって、スライダー移動装置１に対してスライダー１５０を的確に保持することが可能となる。
【０１０６】  また、本実施形態のスライダー移動装置１では、スライダー１５０は、一対のエレメント列１３０Ｌ，１３０Ｒを噛合及び分離させる本体１５０ａと、本体１５０ａを引っ張る引手１５０ｅと、引手１５０ｅを本体１５０ａに取り付ける引手取付部１５０ｄと、を有する構造であって、第２カバー７は、スライダー１５０がスライダー装着部２３ａに装着された状態で引手１５０ｅと引手取付部１５０ｄの間に挿入可能な保持部７ａを有する。したがって、スライダー移動装置１をスライダー１５０に対して的確に装着することが可能となる。
【０１０７】  また、本実施形態のスライダー移動装置１では、スライダー１５０が保持部７３に保持された状態から引手１５０ｅを引っ張ると保持部７３が引手１５０ｅと引手取付部１５０ｄの間から抜け、スライダー１５０がスライダー保持部２３ａから外れる。したがって、緊急時に引手１５０ｅを引き上げるだけで、スライダー１５０とスライダー移動装置１とを容易に離脱させ、迅速に手動でスライダー１５０を移動させることが可能となる。
【０１０８】  また、本実施形態のスライドファスナー１００は、スライダー移動装置１と、ファスナーチェーン１１０と、スライダー１５０と、を備える。したがって、スライダー移動装置１を容易に取り付け及び取り外しでき、駆動力によって開閉することが可能なスライドファスナー１００を提供することが可能となる。
【０１０９】  なお、本発明の種々の実施形態について説明したが、本発明はこれらの実施形態のみに限られるものではなく、それぞれの実施形態の構成を適宜組み合わせて構成した実施形態も本発明の範疇となるものである。
【０１１０】  本発明の実施形態においては、蝶棒１４３を箱棒に挿入または抜去することができるように、蝶棒１４３とエレメント列１３０Ｌを通過させるための空間は、常に外部に露出するように基部２の一部をくりぬいて形成しているが、このような形態に限らない。例えば、当該空間を、取り外し可能なカバーで覆うようにしたり、取り外し可能な機能部品ユニットで覆うようにして、蝶棒の挿入時にはカバーや機能部品ユニットを取り外し、蝶棒挿入後にカバーや機能部品ユニットを取り付けて、当該空間が外部に露出しないようにしてもよい。
【０１１１】  本発明の実施形態においては、ギヤ６はスクリュー式のギヤとしているが、平歯車のギヤとしてもよいし、ウォーム式のギヤと平歯車のギヤのように複数種類のギヤを組み合わせるようにしてもよい。
【０１１２】  本発明の実施形態においては、駆動部５は基部２の内部に収納されるように構成しているが、取り外し可能な別ユニットとして、基部２の外面に外付けするようにしてもよい。また、駆動部５の一部（例えば電源部のみ）を取り外し可能な別ユニットとして、基部２の外面に外付けするようにしてもよい。
【符号の説明】
【０１１３】１…スライダー移動装置２…基部３…第１カバー４…開閉レバー５…駆動部６…ギヤ７…第２カバー１００…スライドファスナー１１０…ファスナーチェーン１１０Ｌ…左側ファスナーストリンガー１１０Ｒ…右側ファスナーストリンガー１２０…ファスナーテープ１２１…テープ縁部１３０…エレメント列１３１…エレメント１４０…開き部１４１…箱棒１４２…箱体１４３…蝶棒１５０…スライダー
【図１】
2019069376.tif 000003
【図２】
2019069376.tif 000004
【図３】
2019069376.tif 000005
【図４】
2019069376.tif 000006
【図５】
2019069376.tif 000007
【図６】
2019069376.tif 000008
【図７】
2019069376.tif 000009
【図８】
2019069376.tif 000010
【図９】
2019069376.tif 000011
【図１０】
2019069376.tif 000012
【図１１】
2019069376.tif 000013
【図１２】
2019069376.tif 000014
【図１３】
2019069376.tif 000015
【図１４】
2019069376.tif 000016
【図１５】
2019069376.tif 000017
【図１６】
2019069376.tif 000018
【図１７】
2019069376.tif 000019
【図１８】
2019069376.tif 000020
【図１９】
2019069376.tif 000021
【国際調査報告】
2019069376.tif 000022
2019069376.tif 000023
2019069376.tif 000024
2019069376.tif 000025